(57)【要約】【課題】変動し得る商用電力の単位電力量当たりの価格に応じて蓄電部の充電や放電を制御する電力供給システムを提供する。【解決手段】電力供給システム１は、商用電力を消費して充電するとともに充電した電力を放電により供給する蓄電部１０と、商用電力の単位電力量当たりの価格を示す情報である価格情報を取得する価格情報取得部１１と、蓄電部１０の充電及び放電の少なくとも一方を制御する蓄電部制御部１２と、を備える。蓄電部制御部１２は、価格情報取得部が取得する価格情報に基づいて蓄電部１０に充電されている電力の単位電力量当たりの価格と、商用電力の単位電力量当たりの価格と、をそれぞれ求めることで、蓄電部１０の充電及び放電の少なくとも一方を制御する。【選択図】図３
2014003726.tif 000002
【特許請求の範囲】
【請求項１】
商用電力を消費して充電し、充電した電力を放電により供給する蓄電部と、
商用電力の単位電力量当たりの価格を示す情報である価格情報を取得する価格情報取得部と、
前記価格情報取得部が取得する価格情報に基づいて、前記蓄電部に充電されている電力の単位電力量当たりの価格と、商用電力の単位電力量当たりの価格と、をそれぞれ求めて比較することで、前記蓄電部の充電及び放電の少なくとも一方を制御する蓄電部制御部と、
を備えることを特徴とする電力供給システム。
【請求項２】
前記蓄電部制御部が、
前記蓄電部に充電されている電力の単位電力量当たりの価格が、商用電力の単位電力量当たりの価格よりも高い場合に、前記蓄電部の充電を許容する制御と、
商用電力の単位電力量当たりの価格が、前記蓄電部に充電されている電力の単位電力量当たりの価格よりも高い場合に、前記蓄電部の放電を許容する制御と、
の少なくとも一方を行うことを特徴とする請求項１に記載の電力供給システム。
【請求項３】
前記蓄電部制御部が、
前記蓄電部に充電されている電力の単位電力量当たりの価格が、商用電力を前記蓄電部に充電した場合の単位電力量当たりの価格よりも高い場合に、前記蓄電部の充電を許容する制御と、
商用電力の単位電力量当たりの価格が、前記蓄電部に充電されている電力を放電した場合の単位電力量当たりの価格よりも高い場合に、前記蓄電部の放電を許容する制御と、
の少なくとも一方を行うことを特徴とする請求項１または請求項２に記載の電力供給システム。
【請求項４】
前記蓄電部制御部が、
前記蓄電部に充電されている電力の単位電力量当たりの価格が、商用電力の単位電力量当たりの価格に充電効率の逆数を乗じて得られる価格よりも高い場合に、前記蓄電部の充電を許容する制御と、
商用電力の単位電力量当たりの価格が、前記蓄電部に充電されている電力の単位電力量当たりの価格に放電効率の逆数を乗じて得られる価格よりも高い場合に、前記蓄電部の放電を許容する制御と、
の少なくとも一方を行うことを特徴とする請求項３に記載の電力供給システム。
【請求項５】
前記蓄電部制御部が、前記蓄電部が充電するように制御するとき、
当該充電前に前記蓄電部に充電されている電力量に、当該充電前の前記蓄電部に充電されている電力の単位電力量当たりの価格を乗じて得られる値と、
当該充電により消費した商用電力の電力量に、当該商用電力の単位電力量当たりの価格を乗じて得られる値と、の和を、
当該充電後に前記蓄電部に充電されている電力量で除して得られる値を、
当該充電後の前記蓄電部に充電されている電力の単位電力量当たりの価格とすることを特徴とする請求項１〜請求項４のいずれかに記載の電力供給システム。
【請求項６】
商用電力は、単位時間毎に単位電力量当たりの価格が変動し得るものであり、
需要が大きい単位時間ほど、単位電力量当たりの価格が高くなることを特徴とする請求項１〜請求項５のいずれかに記載の電力供給システム。
【発明の詳細な説明】
【技術分野】
【０００１】
本発明は、蓄電池の放電により供給される電力を利用する電力供給システムに関する。
【背景技術】
【０００２】
電力自由化により、消費者（例えば、家庭や店舗、ビルなど）へ電力を供給する主体が多様化してきている。例えば、自ら発電した電力を供給する電気事業者だけでなく、他から購入した電力を販売することで電力を供給する電力事業者なども、電力を供給する主体となり得る。
【０００３】
上記のような電力事業者は、消費者に供給する電力（以下、商用電力とする）の単位電力量（例えば、１ｋＷｈ）当たりの価格（以下、単価とする）を設定する。例えば、大規模な発電設備を有し所定の地域の消費者全般に電力を供給する電力事業者などは、商用電力の需要が大きい昼間の時間が高く商用電力の需要が小さい夜間の時間が安い固定性の単価を、消費者との契約において設定することが多い。
【０００４】
また、消費者が、商用電力の他に蓄電池の放電により供給される電力をも供給し得る電力供給システムを利用することが、多くなってきている。蓄電池は、商用電力を消費し事前に充電することで、任意のタイミングで放電し電力を供給することができる。即ち、このような電力供給システムを利用する消費者は、蓄電池の充電及び放電を行うタイミングを制御することで、商用電力を消費するタイミングを変動させることができる。例えば、特許文献１では、商用電力の単価が安い特定の時間（２２時〜８時）に蓄電池を充電し、商用電力の単価が高い特定の時間（８時〜２２時）に蓄電池を放電するように制御することで、商用電力の料金を安くする電力供給システムが提案されている。
【先行技術文献】
【特許文献】
【０００５】
【特許文献１】特開２００４−２７４９８１号公報
【発明の概要】
【発明が解決しようとする課題】
【０００６】
ところで、電力事業者同士の商用電力の売買では、変動性の単価が設定されることが多い。これと同様に、電力事業者と消費者との間の商用電力の売買でも、変動性の単価が設定されることがあり得る。この場合、商用電力の単価の高い時間や単価の安い時間が変動し得る。そのため、例えば特許文献１で提案されている電力供給システムでは、商用電力の単価の高い時間や単価の安い時間を把握することができず、商用電力の料金を安くすることが不可能になる。
【０００７】
また、電力事業者は、商用電力の需要が大きい時間ほど単価を高く設定し、商用電力の需要が小さい時間ほど単価を安く設定することが多い。これは、単価が固定性であっても変動性であっても同様であり、需要と供給の関係によって単価が決定されるためである。さらに、発電を行い得る電力事業者は、商用電力の需要が増大すると、即応性の高い火力発電により発電される電力を増大することで対応することが多い。したがって、単価が高い時間に消費する商用電力の電力量を低減することは、商用電力の料金を安くするだけでなく、火力発電に伴う二酸化炭素の排出量を削減する観点からも、好ましい。
【０００８】
そこで本発明は、変動し得る商用電力の単位電力量当たりの価格に応じて蓄電部の充電や放電を制御する電力供給システムを提供することを目的とする。
【課題を解決するための手段】
【０００９】
上記目的を達成するために、本発明における電力供給システムは、商用電力を消費して充電し、充電した電力を放電により供給する蓄電部と、商用電力の単位電力量当たりの価格を示す情報である価格情報を取得する価格情報取得部と、前記価格情報取得部が取得する価格情報に基づいて、前記蓄電部に充電されている電力の単位電力量当たりの価格と、商用電力の単位電力量当たりの価格と、をそれぞれ求めて比較することで、前記蓄電部の充電及び放電の少なくとも一方を制御する蓄電部制御部と、を備えることを特徴とする。
【００１０】
また、上記構成の電力供給システムにおいて、前記蓄電部制御部が、前記蓄電部に充電されている電力の単位電力量当たりの価格が、商用電力の単位電力量当たりの価格よりも高い場合に、前記蓄電部の充電を許容する制御と、商用電力の単位電力量当たりの価格が、前記蓄電部に充電されている電力の単位電力量当たりの価格よりも高い場合に、前記蓄電部の放電を許容する制御と、の少なくとも一方を行うこととしても構わない。
【００１１】
このように構成すると、単位電力量当たりの価格が安い電力を、優先的に消費することが可能になる。そのため、商用電力の電力料金を、安くすることが可能になる。
【００１２】
また、上記構成の電力供給システムにおいて、前記蓄電部制御部が、前記蓄電部に充電されている電力の単位電力量当たりの価格が、商用電力を前記蓄電部に充電した場合の単位電力量当たりの価格よりも高い場合に、前記蓄電部の充電を許容する制御と、商用電力の単位電力量当たりの価格が、前記蓄電部に充電されている電力を放電した場合の単位電力量当たりの価格よりも高い場合に、前記蓄電部の放電を許容する制御と、の少なくとも一方を行うこととしても構わない。
【００１３】
このように構成すると、充電や放電に伴う電力量の減少を考慮して、単位電力量当たりの価格が安い電力を精度良く判定し、当該電力を優先的に消費することが可能になる。そのため、商用電力の電力料金を、効果的に安くすることが可能になる。
【００１４】
また、上記構成の電力供給システムにおいて、前記蓄電部制御部が、前記蓄電部に充電されている電力の単位電力量当たりの価格が、商用電力の単位電力量当たりの価格に充電効率の逆数を乗じて得られる価格よりも高い場合に、前記蓄電部の充電を許容する制御と、商用電力の単位電力量当たりの価格が、前記蓄電部に充電されている電力の単位電力量当たりの価格に放電効率の逆数を乗じて得られる価格よりも高い場合に、前記蓄電部の放電を許容する制御と、の少なくとも一方を行うこととしても構わない。
【００１５】
このように構成すると、商用電力を蓄電部に充電した場合の単位電力量当たりの価格や、蓄電部に充電されている電力を放電した場合の単位電力量当たりの価格を、容易かつ精度良く算出することが可能になる。
【００１６】
また、上記構成の電力供給システムにおいて、前記蓄電部制御部が、前記蓄電部が充電するように制御するとき、当該充電前に前記蓄電部に充電されている電力量に、当該充電前の前記蓄電部に充電されている電力の単位電力量当たりの価格を乗じて得られる値と、当該充電により消費した商用電力の電力量に、当該商用電力の単位電力量当たりの価格を乗じて得られる値と、の和を当該充電後に前記蓄電部に充電されている電力量で除した値を、当該充電後の前記蓄電部に充電されている電力の単位電力量当たりの価格とすることとしても構わない。
【００１７】
このように構成すると、充電前に蓄電部に充電されている電力量と、充電前の蓄電部に充電されている電力の単位電力量当たりの価格と、充電時に消費する商用電力の電力量と、当該商用電力の単位電力量当たりの価格（価格情報）とを把握するだけで、充電後の蓄電部に充電されている電力の単位電力量当たりの価格を容易に求めることが可能になる。例えば、過去全ての蓄電部の充電時に消費した商用電力の電力量や、その時の商用電力の単位電力量当たりの価格などを把握する（記録する）ことなく、蓄電部に充電されている電力の単位電力量当たりの価格を求めることが可能になる。
【００１８】
また、上記構成の電力供給システムにおいて、前記蓄電部制御部が、充電前後の前記蓄電部の残容量の差分に、充電効率の逆数を乗じて得られる値を、当該充電により消費した商用電力の電力量としても構わない。
【００１９】
このように構成すると、蓄電部制御部が、充電前後の蓄電部の残容量を確認するだけで、容易かつ精度良く、充電により消費した商用電力の電力量を求めることが可能になる。
【００２０】
また、上記構成の電力供給システムにおいて、前記充電効率が、前記蓄電部を充電するために消費する商用電力の電力量で、当該充電により前記蓄電部に蓄えられる電力量を除して得られる値であり、前記放電効率が、前記蓄電部を放電することで前記蓄電部が失う電力量で、当該放電により前記蓄電部が供給する電力量を除して得られる値であることとしても構わない。
【００２１】
また、上記構成の電力供給システムにおいて、商用電力は、単位時間毎に単位電力量当たりの価格が変動し得るものであり、需要が大きい単位時間ほど、単位電力量当たりの価格が高くなるものであっても構わない。
【００２２】
この場合、商用電力の料金を安くするとともに、電力事業者の二酸化炭素の排出量を削減することが可能になる。
【発明の効果】
【００２３】
本発明の構成とすると、商用電力の単位電力量当たりの価格が変動し、それに応じて蓄電部に充電されている電力の単位電力量当たりの価格が変動したとしても、それに適するように、蓄電部の充電や放電を制御することが可能になる。
【００２４】
本発明の意義ないし効果は、以下に示す実施の形態の説明によりさらに明らかとなろう。ただし、以下の実施の形態は、あくまでも本発明の実施の形態の一つであって、本発明ないし各構成要件の用語の意義は、以下の実施の形態に記載されたものに制限されるものではない。
【図面の簡単な説明】
【００２５】
【図１】は、電力事業者による電力の供給方法の一例について説明するブロック図である。
【図２】は、商用電力の単価の変動の一例を示すグラフである。
【図３】は、本発明の実施の一形態である電力供給システムの構成例を示すブロック図である。
【図４】は、図３の電力供給システムの蓄電部制御部による蓄電部の制御動作の一例を示すフローチャートである。
【発明を実施するための形態】
【００２６】
本発明の実施の一形態である電力供給システムについて、以下図面を参照して説明する。最初に、電力供給システムを備える消費者に対して電力事業者が電力を供給する方法の一例について、説明する。
【００２７】
＜電力事業者による電力の供給方法＞
図１は、電力事業者による電力の供給方法の一例について説明するブロック図である。図１中の各ブロックを接続する実線の矢印は電力のやり取りを示し、破線の矢印は情報のやり取りを示している。また、図１に示す例は、卸電力供給者Ｓ１及び電力供給管理者Ｓ２を介して、消費者Ｃ１〜Ｃ３に電力が供給される場合を例示したものである。なお、卸電力供給者Ｓ１及び電力供給管理者Ｓ２は、いずれも電力事業者の一形態として解釈され得る。
【００２８】
図１に示すように、卸電力供給者Ｓ１は、自ら発電したり、卸電力取引所Ｍで他の電力事業者から購入したりすることで、商用電力を取得する。また、電力供給管理者Ｓ２は、卸電力供給者Ｓ１から商用電力を購入する。なお、電力供給管理者Ｓ２は、卸電力供給者を介することなく、卸電力取引所Ｍにおいて他の電力事業者から商用電力を購入しても構わない。また、卸電力取引所Ｍにおける商用電力の売買や、卸電力供給者Ｓ１及び電力供給管理者Ｓ２における商用電力の売買において、変動性の単価で商用電力が取引されても構わないし、固定性の単価で商用電力が取引されても構わない。
【００２９】
電力供給管理者Ｓ２は、例えば集合住宅内の消費者Ｃ１〜Ｃ３に対して、商用電力を販売及び供給する。また、電力供給管理者Ｓ２は、消費者Ｃ１〜Ｃ３に対して、変動性の単価で商用電力を販売するとともに、商用電力の単価を示す価格情報を通知する。例えば、この商用電力の単価は、単位時間（例えば、１時間や３０分など）毎に変動し得る。
【００３０】
商用電力の単価の変動について、図２を参照して説明する。図２は、商用電力の単価の変動の一例を示すグラフである。図２に示すグラフは、単位時間が１時間であり、各単位時間における商用電力の単価の高さを棒の高さで示したものである。図２に示すように、電力供給管理者Ｓ２は、時々刻々と変動する商用電力の単価を、設定し得る。
【００３１】
価格情報は、例えば現在（または直近）の１つの単位時間における商用電力の単価を示すものであっても構わないし、将来の複数の単位時間における商用電力の単価を示すものであっても構わない。なお、以下では説明の具体化のため、価格情報が、現在（または直近）の１つの単位時間における商用電力の単価を示すものであり、電力供給管理者Ｓ２が、単位時間毎（例えば、各単位時間の開始時）に消費者Ｃ１〜Ｃ３に対して価格情報を通知する場合を例示する。
【００３２】
＜電力供給システム＞
次に、図１の消費者Ｃ１〜Ｃ３（図３の消費者Ｃ）が有する電力供給システムについて、図面を参照して説明する。図３は、本発明の実施の一形態である電力供給システムの構成例を示すブロック図である。なお、図１と同様に、図３でも各ブロックの電力のやり取りを実線の矢印で示し、情報のやり取りを破線の矢印で示す。
【００３３】
図３に示すように、消費者Ｃが有する電力供給システム１は、商用電力を消費して充電するとともに充電した電力を放電により供給する蓄電部１０と、価格情報を取得する価格情報取得部１１と、価格情報取得部１１が取得する価格情報に基づいて蓄電部１０の充電及び放電を制御する蓄電部制御部１２と、商用電力と蓄電部１１の放電により供給される電力との少なくとも一方を消費する負荷部１３と、を備える。
【００３４】
蓄電部１０は、例えば大容量の蓄電池から成り、供給される商用電力を適宜変換して（例えば、交流電力を直流電力に変換して）充電し、充電した電力を適宜変換して（例えば、直流電力を交流電力に変換して）負荷部１３に供給する。また、蓄電部１０は、充電されている電力量（以下、残容量とする）を推定し、蓄電部制御部１２に通知する。例えば蓄電部１０は、充電及び放電する電力量または電流量を測定したり、蓄電部１０の電圧値と残容量との関係を示すテーブルを備え、蓄電部１０の電圧値を測定するとともに当該テーブルを参照したりすることで、残容量を推定する。
【００３５】
価格情報取得部１１は、例えば電力供給管理者Ｓ２と通信し得るスマートメータなどから成り、電力供給管理者Ｓ２から通知される価格情報を取得する。なお、価格情報取得部１１が、価格情報を取得することで商用電力の単価を認識し、当該単価を光（例えば、画像の表示やランプの点灯など）や音などで消費者Ｃに対して報知しても構わない。
【００３６】
蓄電部制御部１２は、蓄電部１０から取得する残容量と、価格情報取得部１１が取得する価格情報と、に基づいて、蓄電部１０の充電及び放電の少なくとも一方を行う。なお、以下では説明の具体化のため、蓄電部制御部１２が、蓄電部１０の充電及び放電を制御し得る場合を例示する。
【００３７】
負荷部１３は、供給される電力を消費して動作する各種負荷（例えば、家庭や店舗等に備えられる照明や空調装置、冷蔵庫などの各種機器）を含む。また、負荷部１３の一部または全部の負荷は、商用電力だけでなく、蓄電部１０の放電により供給される電力も消費し得る。
【００３８】
蓄電部制御部１２による、蓄電部１０の充電及び放電の制御動作の一例について、図面を参照して説明する。図４は、図３の電力供給システムの蓄電部制御部による蓄電部の制御動作の一例を示すフローチャートである。
【００３９】
図４に示すように、蓄電部制御部１２が動作を開始すると、最初に各値の初期化を行う。具体的には、変数ｔを１に設定するとともに、蓄電部１０に充電されている電力の単位電力量（例えば、１ｋＷｈ）当たりの価格（即ち、単価）であるＣｏｓｔ＿ａｖｅ（１）を設定する（ＳＴＥＰ１）。Ｃｏｓｔ＿ａｖｅ（１）として、例えば、前回の動作終了時に求められていたＣｏｓｔ＿ａｖｅ（ｔ）を適用しても構わないし、蓄電部１０の残容量に基づいた値としても構わない。また、０などの所定値としても構わない。
【００４０】
次に、蓄電部制御部１２は、価格情報取得部１１を介して価格情報を取得したか否かを確認する（ＳＴＥＰ２）。蓄電部制御部１２は、価格情報を取得しなければ待機する（ＳＴＥＰ２、ＮＯ）。
【００４１】
蓄電部制御部１２は、価格情報を取得したことを確認すると（ＳＴＥＰ２、ＹＥＳ）、蓄電部１０の残容量ＳＯＣ（ｔ）が略０であるか否かを確認する（ＳＴＥＰ３）。蓄電部１０の残容量ＳＯＣ（ｔ）が略０ではない（０よりも大きい）場合（ＳＴＥＰ３、ＮＯ）、蓄電部１０の放電を許容するか否かの判定を行う（ＳＴＥＰ４）。具体的には、下記式（１）を満たすか否かを確認することで、蓄電部１０の放電を許容するか否かを判定する。なお、下記式（１）において、Ｃｏｓｔ＿ｎｏｗ（ｔ）は、蓄電部制御部１２が価格情報から把握する、現在の商用電力の単価である。また、βは放電効率（蓄電部１０を放電することで蓄電部１０が失う電力量で、当該放電により蓄電部１０が供給する電力量を除して得られる値）の逆数である。
【００４２】
【数１】
2014003726.tif 000003
【００４３】
上記式（１）を満たす場合（ＳＴＥＰ４、ＹＥＳ）、蓄電部制御部１２は、蓄電部１０の放電を許容する（ＳＴＥＰ５）。これにより、負荷部１３が、蓄電部１０の放電により供給される電力を消費し得る。そして、この制御が終了すると（例えば、単位時間の終了時刻になると）、蓄電部制御部１２は、次の単位時間における蓄電部１０の制御のために、変数ｔを１増加する（ＳＴＥＰ６）。さらに、現在の単位時間における蓄電部１０に充電されている電力の単価Ｃｏｓｔ＿ａｖｅ（ｔ−１）を、次の単位時間における蓄電部１０に充電されている電力の単価Ｃｏｓｔ＿ａｖｅ（ｔ）として設定する（ＳＴＥＰ７）。
【００４４】
そして、蓄電部制御部１２は、蓄電部１０の制御を終了するか否かを確認する（ＳＴＥＰ８）。蓄電部１０の制御を終了しないことを確認する場合（ＳＴＥＰ８、ＮＯ）、ＳＴＥＰ２に戻って価格情報の取得の確認を行う。一方、蓄電部１０の制御を終了することを確認する場合（ＳＴＥＰ８、ＹＥＳ）、蓄電部１０の制御を終了する。
【００４５】
これに対して、上記式（１）を満たさない場合（ＳＴＥＰ４、ＮＯ）、蓄電部１０の充電を許容するか否かの判定を行う（ＳＴＥＰ９）。具体的には、下記式（２）を満たすか否かを確認することで、蓄電部１０の充電を許容するか否かを判定する。なお、下記式（２）において、αは充電効率（蓄電部１０を充電するために消費する商用電力の電力量で、当該充電により蓄電部１０に蓄えられる電力量を除して得られる値）の逆数である。
【００４６】
【数２】
2014003726.tif 000004
【００４７】
上記式（２）を満たし（ＳＴＥＰ９、ＹＥＳ）、さらに残容量ＳＯＣ（ｔ）が最大値ＭＡＸと略等しくならない（最大値ＭＡＸよりも小さい）場合（ＳＴＥＰ１０、ＮＯ）、蓄電部制御部１２は、蓄電部１０の充電を許容する（ＳＴＥＰ１１）。これにより、蓄電部１０が商用電力を消費して充電し得るとともに、負荷部１３が商用電力を消費し得る。そして、この制御が終了すると（例えば、単位時間の終了時刻になると）、蓄電部制御部１２は、次の単位時間における蓄電部１０の制御のために、変数ｔを１増加する（ＳＴＥＰ１２）。さらに、次の単位時間における蓄電部１０に充電されている電力の単価Ｃｏｓｔ＿ａｖｅ（ｔ）を、下記式（３）のように算出する（ＳＴＥＰ１３）。ただし、下記式（３）では、ｔは２以上の整数とする。
【００４８】
【数３】
2014003726.tif 000005
【００４９】
蓄電部制御部１２は、上記式（３）のように、次の単位時間における蓄電部１０に充電されている電力の単価Ｃｏｓｔ＿ａｖｅ（ｔ）を算出すると、上述のように、蓄電部１０の制御を終了するか否かを確認する（ＳＴＥＰ８）。
【００５０】
一方、上記式（２）を満たさない場合や（ＳＴＥＰ９、ＮＯ）、残容量ＳＯＣ（ｔ）が最大値ＭＡＸと略等しい場合（ＳＴＥＰ１０、ＹＥＳ）は、蓄電部制御部１２が、蓄電部１０の充電及び放電を許容しない。これにより、負荷部１３が商用電力を消費し得る。そして、この制御が終了すると（例えば、単位時間の終了時刻になると）、蓄電部制御部１２は、上述のように、変数ｔを１増加し（ＳＴＥＰ６）、次の単位時間における蓄電部１０に充電されている電力の単価Ｃｏｓｔ＿ａｖｅ（ｔ）を設定して（ＳＴＥＰ７）、蓄電部１０の制御を終了するか否かを確認する（ＳＴＥＰ８）。
【００５１】
ところで、蓄電部１０の残容量ＳＯＣ（ｔ）が略０である場合（ＳＴＥＰ３、ＹＥＳ）、蓄電部制御部１２は、蓄電部１０の充電を許容する（ＳＴＥＰ１１）。そして、蓄電部制御部１２は、上述のように、変数ｔを１増加し（ＳＴＥＰ１２）、次の単位時間における蓄電部１０に充電されている電力の単価Ｃｏｓｔ＿ａｖｅ（ｔ）を算出して（ＳＴＥＰ１３）、蓄電部１０の制御を終了するか否かを確認する（ＳＴＥＰ８）。
【００５２】
以上のように構成すると、商用電力の単価が変動し、それに応じて蓄電部１０に充電されている電力の単価が変動したとしても、それに適するように、蓄電部１０の充電や放電を制御することが可能になる。また、これにより、商用電力の料金を安くするとともに、電力事業者の二酸化炭素の排出量を削減することが可能になる。
【００５３】
また、ＳＴＥＰ４で上記式（１）を満たす場合とは、商用電力の単価Ｃｏｓｔ＿ｎｏｗ（ｔ）の方が、蓄電部１０に充電されている電力の単価Ｃｏｓｔ＿ａｖｅ（ｔ）よりも高くなる場合である。そのため、この場合に蓄電部１０の放電を許容することで、単価が安い電力（蓄電部１０に充電されている電力）を、優先的に消費することが可能になる。したがって、商用電力の電力料金を、安くすることが可能になる。
【００５４】
さらに、ＳＴＥＰ４で上記式（１）を満たす場合とは、商用電力の単価Ｃｏｓｔ＿ｎｏｗ（ｔ）の方が、蓄電部１０に充電されている電力を放電した場合の単価Ｃｏｓｔ＿ａｖｅ（ｔ）×βよりも高くなる場合である。そのため、この場合に蓄電部１０の放電を許容することで、蓄電部１０の放電に伴う電力量の減少を考慮して、単価が安い電力（蓄電部１０に充電されている電力）を精度良く判定し、当該電力を優先的に消費することが可能になる。したがって、商用電力の電力料金を、効果的に安くすることが可能になる。
【００５５】
同様に、ＳＴＥＰ９で上記式（２）を満たす場合とは、蓄電部１０に充電されている電力の単価Ｃｏｓｔ＿ａｖｅ（ｔ）の方が、商用電力の単価Ｃｏｓｔ＿ｎｏｗ（ｔ）よりも高くなる場合である。そのため、この場合に蓄電部１０の充電を許容することで、単価が安い電力（商用電力）を、優先的に消費することが可能になる。したがって、商用電力の電力料金を、安くすることが可能になる。
【００５６】
さらに、ＳＴＥＰ９で上記式（２）を満たす場合とは、蓄電部１０に充電されている電力の単価Ｃｏｓｔ＿ａｖｅ（ｔ）の方が、商用電力を蓄電部１０に充電した場合の単価Ｃｏｓｔ＿ｎｏｗ（ｔ）×αよりも高くなる場合である。そのため、この場合に蓄電部１０の充電を許容することで、蓄電部１０の充電に伴う電力量の減少を考慮して、単価が安い電力（商用電力）を精度良く判定し、当該電力を優先的に消費することが可能になる。したがって、商用電力の電力料金を、効果的に安くすることが可能になる。
【００５７】
また、上記式（１）や上記式（２）のように、充電効率の逆数αや放電効率の逆数βを用いると、商用電力を蓄電部１０に充電した場合の単価Ｃｏｓｔ＿ｎｏｗ（ｔ）×αや、蓄電部１０に充電されている電力を放電した場合の単価Ｃｏｓｔ＿ａｖｅ（ｔ）×βを、容易かつ精度良く算出することが可能になる。
【００５８】
また、上記式（３）のように、次の単位時間における蓄電部１０に充電されている電力の単価Ｃｏｓｔ＿ａｖｅ（ｔ）を算出すると、充電前に蓄電部１０に充電されている電力量ＳＯＣ（ｔ−１）と、充電前の蓄電部１０に充電されている電力の単価Ｃｏｓｔ＿ａｖｅ（ｔ−１）と、充電時に消費する商用電力の電力量｛ＳＯＣ（ｔ）−ＳＯＣ（ｔ−１）｝×αと、当該商用電力の単価（価格情報）Ｃｏｓｔ＿ｎｏｗ（ｔ−１）とを把握するだけで、容易に算出することが可能になる。例えば、過去全ての蓄電部１０の充電時に消費した商用電力の電力量や、その時の商用電力の単価などを把握する（記録する）ことなく、蓄電部１０に充電されている電力の単価を求めることが可能になる。
【００５９】
さらに、蓄電部制御部１２は、充電前後の蓄電部１０の残容量ＳＯＣ（ｔ），ＳＯＣ（ｔ−１）を確認するだけで、容易かつ精度良く、充電により消費した商用電力の電力量を求めることが可能である。
【００６０】
なお、電力供給管理者Ｓ２が消費者Ｃ１〜Ｃ３，Ｃに通知する価格情報が、複数の単位時間の単価を示すものである場合（事前に将来のそれぞれの単位時間における商用電力の単価が通知されている場合）、図４のＳＴＥＰ２において、単位時間が開始されたか否かを確認しても構わない。この場合、蓄電部制御部１２は、単位時間の開始を確認しなければ待機し（ＳＴＥＰ２のＮＯに相当）、単位時間の開始を確認することで（ＳＴＥＰ２のＹＥＳに相当）、ＳＴＥＰ３を行う。
【００６１】
また、図４のＳＴＥＰ３において、蓄電部制御部１２が、蓄電部１０の残容量ＳＯＣ（ｔ）が所定値よりも小さいか否かを確認しても構わない。当該所定値は、蓄電部１０の充電が必要と判断し得る程度に小さい値とする。この場合、蓄電部制御部１２は、蓄電部１０の残容量ＳＯＣ（ｔ）が当該所定値よりも小さければ（ＳＴＥＰ３のＹＥＳに相当）ＳＴＥＰ１１を行い、当該所定値以上であれば（ＳＴＥＰ３のＮＯに相当）ＳＴＥＰ４を行う。
【００６２】
また、図４のＳＴＥＰ１０において、蓄電部制御部１２が、蓄電部１０の残容量ＳＯＣ（ｔ）が所定値よりも大きいか否かを確認しても構わない。当該所定値は、蓄電部１０の充電が不要と判断し得る程度に大きい値とする。この場合、蓄電部制御部１２は、蓄電部１０の残容量ＳＯＣ（ｔ）が当該所定値よりも大きければ（ＳＴＥＰ１０のＹＥＳに相当）ＳＴＥＰ６を行い、当該所定値以下であれば（ＳＴＥＰ１０のＮＯに相当）ＳＴＥＰ１１を行う。
【００６３】
＜変形例＞
本発明の実施の一形態である電力供給システム１について、価格情報取得部１１や蓄電部制御部１２、蓄電部１０などの一部または全部の動作を、マイコンなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【００６４】
また、上述した場合に限らず、図３に示す電力供給システム１は、ハードウェア、あるいは、ハードウェアとソフトウェアの組み合わせによって実現可能である。また、ソフトウェアを用いて電力供給システム１の一部を実現する場合、ソフトウェアによって実現される部位についてのブロックは、その部位の機能ブロックを表すこととする。
【００６５】
以上、本発明における実施形態について説明したが、本発明の範囲はこれに限定されるものではなく、発明の主旨を逸脱しない範囲で種々の変更を加えて実行することができる。
【産業上の利用可能性】
【００６６】
本発明は、蓄電部の放電により供給される電力を利用する電力供給システムに利用可能である。
【符号の説明】
【００６７】
１    電力供給システム
１０  蓄電部
１１  価格情報取得部
１２  蓄電部制御部
１３  負荷部
【図１】
2014003726.tif 000006
【図２】
2014003726.tif 000007
【図３】
2014003726.tif 000008
【図４】
2014003726.tif 000009